(57)【要約】【課題】  使用用途が限られず、また、倒れにくい小物スタンドを提供する。【解決手段】  小物スタンド１０は、トレー部１１及び小物立て部１２を備えている。トレー部１１は、平面視で略平行四辺形の平板状に形成されており、その表面に小物を置くことができるように構成されている。小物立て部１２は、４つの外側壁１３を有する四角筒状に形成され、トレー部１１の表面の一側部に立設されている。そして、当該トレー部１１は、その裏面の面積が小物立て部１２の底面積に比べて大きくなるように形成されている。【選択図】      図１
2005262780.tif 000002
【特許請求の範囲】
【請求項１】
小物を置くトレー部及び小物を収容する小物立て部を備えており、該トレー部を平板状に形成し、該小物立て部を筒状に形成するとともに、当該トレー部の表面に当該小物立て部が立設されており、かつ、当該トレー部の裏面の面積が当該小物立て部の底面積に比べて大きくなっていることを特徴とする小物スタンド。
【請求項２】
前記トレー部の表面には突部を設けるとともに、前記小物立て部の底部には当該突部に係合される凹部を設け、該突部に対する該凹部の係脱操作により、前記トレー部に対して前記小物立て部を着脱自在に構成したことを特徴とする請求項１に記載の小物スタンド。
【請求項３】
前記突部は有底筒状に形成されており、当該突部を小物入れ部として使用することを特徴とする請求項２に記載の小物スタンド。
【発明の詳細な説明】
【技術分野】
【０００１】
本発明は、小物を置いたり、立てたり等するための小物スタンドに関するものである。
【背景技術】
【０００２】
従来、上記のような小物スタンドとして、例えば特許文献１には本立てが示されている。本立ては、有底四角筒状のマス型に形成されており、長方形状をなす底壁の両短側縁から立設された側壁がそれぞれ前面及び後面となるように使用される。この本立ては、前面側の側壁が後面側の側壁に比べて上下の高さが低くなるように構成されている。また、前面となる側壁の略上端には、小物を入れるトレーが外方へ向かって延設されている。他の小物スタンドとして、例えば特許文献２には携帯通信機器スタンドが示されている。この携帯通信機器スタンドは、有底筒状のペンスタンド（背面保持部材）と、該ペンスタンドの外面から前方に突出した底面保持部材とを備えている。そして、携帯通信機器を机上に立てたときに容易に倒れることがないよう、底面保持部材で携帯通信機器の底面を保持するよう構成されている。
【特許文献１】登録実用新案第３０３９７２５号公報
【特許文献２】特開平１１−２７３５８号公報
【発明の開示】
【発明が解決しようとする課題】
【０００３】
ところが、上記特許文献１に示された本立ての場合、その底面が長方形状をなしていることから、その内部に本が片寄って収容された場合、バランスが崩れて側方へ倒れやすい。一方、特許文献２に示された携帯通信機器スタンドの場合、底面保持部材は携帯通信機器の底面を保持するような構成に特化されており、例えば指輪、飲料容器等のような携帯通信機器以外の小物を置くことまでは想定されていない。従って、使用用途が限られており、不便であると予想される。
【０００４】
本発明は、このような従来技術に存在する問題点に着目してなされたものである。その目的とするところは、使用用途が限られず、また、倒れにくい小物スタンドを提供することにある。
【課題を解決するための手段】
【０００５】
上記の目的を達成するために、請求項１に記載の小物スタンドの発明は、小物を置くトレー部及び小物を収容する小物立て部を備えており、該トレー部を平板状に形成し、該小物立て部を筒状に形成するとともに、当該トレー部の表面に当該小物立て部が立設されており、かつ、当該トレー部の裏面の面積が当該小物立て部の底面積に比べて大きくなっていることを要旨とする。
【０００６】
上記構成によれば、トレー部には、指輪、化粧用コンパクト等のような丈の短い小物を置き、小物立て部には、鉛筆、ペン、花飾り等のような丈の長い小物を収容する等のように、小物に合わせて使用者がトレー部と小物立て部とを使い方を分けることが可能である。また、トレー部の裏面の面積が小物立て部の底面積に比べて大きくなっていることから、小物立て部の内部に小物が片寄って収容されても、トレー部が小物立て部を支持することにより小物立て部の転倒を抑制することができる。その結果、小物スタンドは、使用者の所望に応じて様々な使い方をすることが可能であることから、使用用途が限られず、また、小物立て部の転倒が抑制されていることから、倒れにくいものとなる。
【０００７】
請求項２に記載の小物スタンドの発明は、請求項１に記載の発明において、前記トレー部の表面には突部を設けるとともに、前記小物立て部の底部には当該突部に係合される凹部を設け、該突部に対する該凹部の係脱操作により、前記トレー部に対して前記小物立て部を着脱自在に構成したことを要旨とする。
【０００８】
上記構成によれば、所望時にはトレー部と小物立て部とを個別に使用することが可能であり、トレー部に対し小物立て部が装着された状態、或いは脱着された状態を状況に応じて使い分けることで、使用用途を広げることができる。
【０００９】
請求項３に記載の小物スタンドの発明は、請求項２に記載の発明において、前記突部は有底筒状に形成されており、当該突部を小物入れ部として使用することを要旨とする。
上記構成によれば、トレー部から小物立て部を脱着した状態としても、該トレー部に小物を置くのみならず、小物入れ部に、例えば画鋲、ねじ等のような転がりやすい、或いは細かな小物を収容することが可能であり、用途幅が大きく拡がり、扱いやすいものとすることができる。
【発明の効果】
【００１０】
本発明によれば、使用用途が限られず、また、倒れにくい小物スタンドを提供することができる。
【発明を実施するための最良の形態】
【００１１】
以下、本発明の小物スタンドを具体化した一実施形態を図面に基づいて説明する。
図１及び図２に示すように、小物スタンド１０は、トレー部１１及び小物立て部１２を備えている。トレー部１１は、平面視で略平行四辺形の平板状に形成されており、その表面に小物を置くことができるように構成されている。小物立て部１２は、四角筒状に形成され、４つの外側壁１３を有している。これら外側壁１３は、対向する一対が下方へ向かうにつれ互いに離隔するテーパ状に形成されている。当該小物立て部１２は、トレー部１１の一側部に立設されている。そして、当該トレー部１１は、その裏面の面積が小物立て部１２の底面積に比べて大きくなるように形成されている。
【００１２】
図３及び図４に示すように、小物立て部１２の内部には、収容体１４が設けられている。収容体１４は、平面視で長方形状をなす第１底壁１５と、その第１底壁１５の周縁から立設された１６とから、有底四角筒状に形成されている。この収容体１４は、その内側壁１６の上端が前記外側壁１３の内面と一体的に成形されることにより、小物立て部１２の内部に支持されている。そして、小物立て部１２は、収容体１４の内部に小物を収容することができるように構成されている。
【００１３】
前記トレー部１１の表面で一側部には、突部１７が設けられている。この突部１７は、第２底壁１８と、その第２底壁１８の周縁から立設された４つの挿入壁１９とから、有底四角筒状に形成されている。一方、前記小物立て部１２の内部において、収容体１４は、その第１底壁１５が外側壁１３の下端よりも上方に位置するように、上方寄りに配置されている。小物立て部１２は、収容体１４を上方寄りに配置した分、その底部に空間を有しており、該空間は小物立て部１２の凹部２０として構成されている。
【００１４】
前記小物立て部１２は、凹部２０が前記突部１７に係合されることにより、前記トレー部１１に装着されている。一方、突部１７に対する凹部２０の係合を解除することにより、小物立て部１２は、トレー部１１から脱着される。すなわち、小物立て部１２は、突部１７に対する凹部２０の係脱操作を行うことにより、トレー部１１に対して着脱自在に構成されている。また、小物立て部１２をトレー部１１から脱着した状態とした際、前記突部１７は、有底四角筒状に形成されていることから内部に小物を収容することが可能であり、小物入れ部１７ａとして使用することができるように構成されている。
【００１５】
なお、前記突部１７の挿入壁１９は、前記小物立て部１２の外側壁１３と同様に、対向する一対が下方へ向かうにつれ互いに離隔するテーパ状に形成されている。そして、小物立て部１２が前記トレー部１１に装着された状態で、当該挿入壁１９は、その外面を外側壁１３の内面に接触させるよう構成されている。また、突部１７の第２底壁１８は、トレー部１１の表面よりも上方寄りに配置されており、前記小物入れ部１７ａは底浅な形状とされている。加えて、前記トレー部１１に小物立て部１２を装着した状態で、収容体１４は、その底部が突部１７の内部に収容されている。
【００１６】
次に、前記小物スタンドの作用について以下に記載する。
さて、当該小物スタンド１０は、トレー部１１の表面に指輪、化粧用コンパクト、時計、携帯通信機器等のような小物を置いたり、小物立て部１２の収容体１４に鉛筆、ペン、花飾り、箸、しゃもじ、包丁等のような丈の長い小物を収容し、同小物を立てたり等して使用される。また、トレー部１１の表面に本を縦置きに載せるとともに、その本を小物立て部１２によって側方から支持させることにより、小物スタンド１０は、所謂ブックエンドとしても使用可能であり、使用者の所望に応じて様々な使い方をすることが可能とされる。なお、トレー部１１は、平面視で略平行四辺形の平板状に形成されており、当該小物スタンド１０の使用時において、使用者に小物立て部１２から延びる影を想起させる。
【００１７】
当該小物スタンド１０を使用する状況下において、収容体１４の内部に小物が片寄って収容された状態が想定される。このような状況下においても、小物立て部１２の底面積に比べてトレー部１１の面積が十分に大きくなるように形成されていることから、トレー部１１が小物立て部１２をその立設状態を維持するよう支持しており、小物立て部１２の転倒を抑制する。特に、当該小物スタンド１０をブックエンドとして使用する等のように、トレー部１１の表面に重量が嵩む小物を置いた場合には、トレー部１１による小物立て部１２の転倒を抑制する効果が顕著に現れる。
【００１８】
一方、当該小物スタンド１０においては、トレー部１１と小物立て部１２とを個別に使用することも可能である。このようにトレー部１１と小物立て部１２とを個別に使用するとき、まず小物立て部１２を手で把持して上方へ引く。すると、該小物立て部１２の凹部２０からトレー部１１の突部１７が脱退されるようにして突部１７に対する凹部２０の係合が解除され、トレー部１１から小物立て部１２が脱着される。そして、小物立て部１２をトレー部１１の表面以外の何れかの箇所に置き、収容体１４に小物を収容したり、小物を立てたり等することにより、小物立て部１２は使用される。
【００１９】
小物立て部１２をトレー部１１から脱着して使用する際、該小物立て部１２は、外側壁１３が下方へ向かうにつれ互いに離隔するテーパ状に形成されており、底部へ向かうにつれ拡がる四角錐台形状をなすことから、安定して載置される。また、トレー部１１においては、その表面に小物を置くのみならず、小物立て部１２を脱着した後にも突部１７を小物入れ部１７ａとして使用することができ、該小物入れ部１７ａに小物を入れる等して使用される。また、トレー部１１に小物立て部１２を装着する際には、まず前記突部１７の上端部が前記凹部２０の内部に挿入されるようにして小物立て部１２を配置し、このまま小物立て部１２を下方へ押し込む。すると、収容体１４の底部が突部１７の内部に収容されるとともに、突部１７の挿入壁１９の外面に小物立て部１２の外側壁１３の内面が接触され、トレー部１１の突部１７に小物立て部１２の凹部２０が係合される。
【００２０】
前記の実施形態によって発揮される効果について、以下に記載する。
・  実施形態の小物スタンド１０によれば、トレー部１１に小物を置いたり、小物立て部１２に小物を立てたり、或いは小物スタンド１０をブックエンドとして使用したり等のように、様々な使い方をすることが可能である。従って、トレー部１１及び小物立て部１２を用途を限ることなく、使用者が所望に応じて自由に使い分けることができる。
【００２１】
・  また、トレー部１１は、その裏面の面積が小物立て部１２の底面積に比べて大きくなるように形成されている。従って、トレー部１１が小物立て部１２を支持し、その転倒を抑制することが可能であり、小物スタンド１０を倒れにくいものとすることができる。
【００２２】
・  また、トレー部１１に対して小物立て部１２を着脱自在な構成としたことにより、トレー部１１及び小物立て部１２を共に使用することに限らず、それぞれを個別に使用することも可能であり、使用用途の幅を広げることができる。
【００２３】
・  また、トレー部１１に対して小物立て部１２を着脱自在とするための突部１７を有底四角筒状に形成したことにより、同突部１７を小物入れ部１７ａとして使用することが可能である。従って、トレー部１１の表面で小物立て部１２を脱着した後のスペースをも小物入れ部１７ａとして有効に活用することができる。
【００２４】
・  また、小物立て部１２の内部に収容体１４を設けたことにより、小物立て部１２をトレー部１１と個別に使用する際、同小物立て部１２を何れの箇所に置こうとも、収容体１４の第１底壁１５により、小物を下方から支持することができる。さらに、小物立て部１２とともに、収容された小物を持ち運ぶことが可能である。
【００２５】
なお、本実施形態は、次のように変更して具体化することも可能である。
・  前記小物立て部１２は、四角筒状に限らず、筒状であれば、三角筒状、五角筒状、六角筒状等の多角筒状、円筒状、楕円筒状等に形成してもよい。またこの場合、小物立て部１２の形状に合わせ、収容体１４及び突部１７の形状を変更してもよい。
【００２６】
・  トレー部１１に設けられる突部と小物立て部１２に設けられる凹部は、実施形態のような上下方向で係脱されるものに限らず、前後方向、左右方向等の横方向で係脱される構成としてもよい。例えば、凹部を下方向及び横方向へ開口する構成とし、該凹部の内部に横方向から突部を挿入するようにして、突部及び凹部の係合を行ってもよい。
【００２７】
・  小物立て部１２は、トレー部１１の一側部に立設されることに限らず、トレー部１１の表面であれば、中央部、前部、後部等の何れの箇所に設けてもよい。
・  トレー部１１は、平板状をなすものでれば、平面視で略平行四辺形に限らず、長方形、正方形、台形、三角形、五角形、六角形等の多角形、円形、楕円形等としてもよい。
【００２８】
・  突部１７は、小物入れ部１７ａとして使用するために有底筒状とすることに限らず、円柱状、角柱状等としてもよい。
・  前記トレー部１１の表面に１つの小物立て部１２を立設することに限らず、複数の小物立て部１２を立設してもよい。
【００２９】
・  前記収容体１４を省略し、突部１７の第２底壁１８を小物立て部１２の底壁として使用してもよい。
さらに、前記実施形態より把握できる技術的思想について以下に記載する。
【００３０】
（１）前記小物立て部は、対向する側壁が下方へ向かうにつれ互いに離隔するテーパ状に形成されていることを特徴とする請求項２又は請求項３に記載の小物スタンド。
（２）前記小物立て部の内部には、有底筒状をなす収容体を設けたことを特徴とする請求項１から請求項３の何れか一項に記載の小物スタンド。
【図面の簡単な説明】
【００３１】
【図１】実施形態の小物スタンドを示す斜視図。
【図２】実施形態の小物スタンドを示す平面図。
【図３】トレー部から小物立て部を脱着した状態を示す分解斜視図。
【図４】図２の４−４線における小物スタンドの断面図。
【符号の説明】
【００３２】
１０…小物スタンド、１１…トレー部、１２…小物立て部、１７…突部、１７ａ…小物入れ部、２０…凹部。
【図１】
2005262780.tif 000003
【図２】
2005262780.tif 000004
【図３】
2005262780.tif 000005
【図４】
2005262780.tif 000006